(57)【要約】【課題】  接続される小型基板の各電気接点とコネクタ側の所定のコンタクトとの間に位置ずれを生じないように、小型基板の受容位置を確実に規制することができる電気コネクタを提供する。【解決手段】  ソケット１００のリブ状の位置決め突起１３０に、一様な厚さを有する下部１３０ｂおよびそれよりも厚い部分を有する上部１３０ａを設ける。これらの両部分は、左右対称に連続的に変化するテーパ状の中間部１３０ｃによってつながれる。ソケットに１００に挿入される小型基板１０の切欠き１３の幅が位置決め突起１３０の下部１３０ｂの厚さとほぼ等しい場合には、下部１３０ｂにより小型基板１０が位置決めされる。切欠き１３の幅が位置決め突起１３０の下部１３０ｂの厚さよりも大きく、かつ、上部１３０ａの厚さよりも小さい場合には、中間部１３０ｃにより小型基板１０が位置決めされる。【選択図】  図３
2007042384.tif 000002
【特許請求の範囲】
【請求項１】
配線板の、複数の電気接点が配置された端部を受容する絶縁ハウジングと、
前記絶縁ハウジングに形成された、前記配線板の前記端部の切欠きに嵌入して前記配線板の受容位置を規制するための位置決め突起と、
前記絶縁ハウジングに保持された、前記配線板の電気接点と弾性的に接触する複数のコンタクトとを備える電気コネクタにおいて、
前記位置決め突起が、前記切欠きの幅以下の厚さをもつ部分および前記切欠きの幅より大きい厚さをもつ部分を有し、厚さが対称に変化する中間部分によって前記両方の部分が    つながれていることを特徴とする電気コネクタ。
【請求項２】
前記絶縁ハウジングに前記端部が受容された前記配線板を、その電気接点が前記コンタクトと弾性的に接触している状態に保持する保持手段を、さらに備えることを特徴とする請求項１記載の電気コネクタ。
【発明の詳細な説明】
【技術分野】
【０００１】
本発明は、配線板の電気接点が形成された端部を受容してこれと電気的接続を行うための電気コネクタに関し、特に、メモリモジュールを情報機器に装着するために好適な電気コネクタに関する。
【背景技術】
【０００２】
電子部品が実装されたプリント配線板などの基板端部に接触用の導体パターン（電気接点）を設けておき、この電気接点を含む基板端部を電気コネクタに直接に挿入することによって電気的接続を行うことが行われている。このようなプリント配線板用の電気コネクタはエッジソケットコネクタと呼ばれる。
【０００３】
図７は、従来のエッジソケットコネクタ（以下では単にソケットという。）の一例を示す（特許文献１  図９，１０）。このソケット５００は、半導体メモリ素子が実装された小型基板１０（メモリモジュール）をパーソナルコンピュータなどの情報機器の親基板（マザーボード）に取り付けるために好適な、零挿入力（ＺＩＦ）型ソケットとして構成されたものである。
図７（Ａ）は、ソケット５００およびこれに接続される小型基板１０を示す斜視図である。ソケット５００は、小型基板１０の電気接点が設けられた一端を受容するスロット５１０ａを有する絶縁ハウジング５１０と、受容した小型基板１０の電気接点１２と弾性的に接触して電気的に接続する複数のコンタクト５２０を備えている。ソケット５００は、絶縁ハウジング５１０の下面から露出するコンタクト５２０のタイン部を半田付けすることによって、図示していない親基板に実装される。
【０００４】
絶縁ハウジング５１０には、幅方向（長手方向）について非対称な位置（ここでは、挿入される小型基板１０から見て右寄りの位置）に、円柱状の位置決め突起５３０が一体に形成されている。この位置決め突起５３０は、小型基板１０の端部の切欠き１３と係合して小型基板１０をスロット５１０ａの所定位置に案内するためのものである。この非対称な位置に設けられた位置決め突起５３０によって、小型基板１０がスロット５１０ａに誤挿入されることが防止されると共に、各電気接点１２がそれぞれ所定のコンタクト５２０に接続されるように小型基板１０の幅方向の受容位置が規制される。
【０００５】
絶縁ハウジング５１０の両側には、小型基板１０を固定保持するための内向きの爪５４０ａがそれぞれの先端に形成された、弾性を有する保持アーム５４０が対向配置されている。
図７（Ｂ）は、ソケット５００のスロット５１０ａに挿入された小型基板１０が、保持アーム５４０によって固定保持された状態を示す斜視図である。
【０００６】
ＺＩＦ型のソケットとして構成されたソケット５００に小型基板１０を電気的に接続する際には、小型基板１０の電気接点が設けられた一端をソケット５００のスロット５１０ａに斜め上方から挿入した後に、小型基板１０が親基板と平行になるまでコンタクト５２０の弾性に抗しながらその他端を押し下げる。そして、小型基板１０の両側端を、ソケット５００の両側にそれぞれ設けられた一対の保持アーム５４０によって固定する。これにより、スロット５１０ａに挿入する際には力を必要とせずに、一端側が絶縁ハウジング５１０に受容された小型基板１０をソケット５００に取り付けて、各電気接点１２とコンタクト５２０とが弾性的に接触して電気的に接続されている状態に保持することができる。
【０００７】
しかし、位置決め突起５３０の幅および／または小型基板１０の切欠き１３の幅には、許容された公差の範囲内でばらつきがあるため、ソケット５００の位置決め突起５３０のように、位置決め突起が単なる凸状の部材である場合には、両者の幅を常に一致させることができずに隙間を生じる場合がある。このため、小型化および高密度化の要請に伴ってソケット５００の複数のコンタクト５２０の中心間隔（ピッチ）が小さくなると、小型基板１０の各電気接点１２の中心をソケット５００の対応するコンタクト５２０の中心に常に一致させることが困難になり、これらの間に位置ずれを生じてしまうという問題がある。
【０００８】
図８は、この問題を解決するために提案された、従来の別のソケットの一例を示す（特許文献１  図１）。このソケット６００は、その両側に２枚の小型基板１０を接続できるようにされている点が異なるが、基本的な構成は前述した従来のソケット５００と同様である。すなわち、各小型基板１０の電気接点が設けられた一端をそれぞれ受容する２つのスロット６１０ａを有する絶縁ハウジング６１０と、各小型基板１０の複数の電気接点１２と弾性的に接触する複数のコンタクト６２０を備え、図示していない親基板に実装される。絶縁ハウジング６１０の両側には、それぞれの先端に小型基板１０を保持するための内向きの爪６４０ａが形成された、弾性を有する保持アーム６４０が対向配置されている。一端がスロット６１０ａに挿入された小型基板１０は、その側面の凹部１０ｂに係合する爪６４０ａによって固定保持される。
【０００９】
絶縁ハウジング６１０の各スロット６１０ａには、その幅方向について非対称な位置に、円柱状の位置決め突起に代えて、先端に弾性部材６３０が配置された位置決め突起６１０ｂ（図１０）が一体に形成されている。
図９は、この位置決め突起６１０ｂの先端に配置される弾性部材６３０の詳細を示す（特許文献１  図２）。弾性部材６３０は、絶縁ハウジング６１０の各スロット６１０ａに一体に形成された位置決め突起６１０ｂに差し込まれる基部６３１と、基部６３１からハ字状に弾性的に拡がりながら延びる一対の保持アーム６３２と、各保持アーム６３２の先端に形成されて小型基板１０の端部の切欠き１３と係合する曲面状のガイド部６３３とによって構成される。ガイド部６３３は、絶縁ハウジング６１０の位置決め突起６１０ｂの先端を包むような湾曲形状にされているので、小型基板１０の切欠き１３内にスムーズに挿入され、ハの字状に開いた保持アーム６３２のばね力によって切欠き１３の内側壁に弾性的に圧接して小型基板１０をスロット６１０ａの所定位置に案内する。これによって、小型基板１０のソケット６００への誤挿入が防止されると共に、電気接点１２のそれぞれが所定のコンタクト６２０に接続されるように小型基板１０の受容位置が規制される。
【００１０】
【特許文献１】特開２００２−１６４１１８号公報
【発明の開示】
【発明が解決しようとする課題】
【００１１】
従来のソケット６００によれば、絶縁ハウジング６１０に一体に形成された位置決め突起６１０ｂの先端に別体の弾性部材６３０を配置したことにより、そのガイド部６３３が弾性的に拡がって小型基板１０の切欠き１３の内側壁に常に圧接するので、ガイド部６３３の幅と小型基板１０の切欠き１３の幅とを常に一致させることができる。このため、小型基板１０の切欠き１３の幅やソケット６００の位置決め突起の幅のばらつきに起因して小型基板１０の受容位置にずれを生じることがないとされる。
【００１２】
しかし、図１０に示すように、弾性部材６３０の一対の保持アーム６３２は位置決め突起６１０ｂの中心に対して必ずしも左右対称に拡がらないため、小型化および高密度化の要請に伴ってソケット６００の複数のコンタクト間のピッチ（小型基板１０の電気接点１２のピッチ）がさらに小さくなると、挿入された小型基板１０の各電気接点１２の中心をソケット６００の対応するコンタクト６２０の中心に常に一致させることが困難になる。したがって、各電気接点１２がコンタクト６２０と確実に整合するように小型基板１０の受容位置を規制することが困難であるという問題は、依然として存在する。
本発明は、このような状況をふまえてなされたものであり、接続される小型基板の受容位置を、その各電気接点がコネクタ側の所定のコンタクトと整合するように規制して、これらの間に位置ずれを生じない電気コネクタを提供することを目的とする。
【課題を解決するための手段】
【００１３】
本発明の請求項１に係る電気コネクタは、配線板の、複数の電気接点が配置された端部を受容する絶縁ハウジングと、前記絶縁ハウジングに形成された、前記配線板の前記端部の切欠きに嵌入して前記配線板の受容位置を規制するための位置決め突起と、前記絶縁ハウジングに保持された、前記配線板の電気接点と弾性的に接触する複数のコンタクトとを備えるものであって、前記位置決め突起が、前記切欠きの幅以下の厚さをもつ部分および前記切欠きの幅より大きい厚さをもつ部分を有し、厚さが対称に変化する中間部分によって前記両方の部分がつながれていることを特徴とするものである。
【００１４】
また、本発明の請求項２に係る電気コネクタは、請求項１に記載の電気コネクタにおいて、前記絶縁ハウジングに前記端部が受容された前記配線板を、その電気接点が前記コンタクトと弾性的に接触している状態に保持する保持手段を、さらに備えることを特徴とするものである。
【発明の効果】
【００１５】
本発明の請求項１に係る電気コネクタによれば、配線板の、複数の電気接点が配置された端部を受容する絶縁ハウジングと、前記絶縁ハウジングに形成された、前記配線板の前記端部の切欠きに嵌入して前記配線板の受容位置を規制するための位置決め突起と、前記絶縁ハウジングに保持された、前記配線板の電気接点と弾性的に接触する複数のコンタクトとを備え、前記位置決め突起が、前記切欠きの幅以下の厚さをもつ部分および前記切欠きの幅より大きい厚さをもつ部分を有し、厚さが対称に変化する中間部分によって前記両方の部分がつながれているので、前記切欠きの幅が前記位置決め突起の厚さよりも大きい場合であっても、前記電気接点と前記対応するコンタクトとの間に位置ずれを生じないように前記小型基板の受容位置を規制することができる。しかも、請求項１に係る電気コネクタは、そのために弾性部材などの付加的な部材を必要とすることもない。
【００１６】
また、本発明の請求項２に係る電気コネクタは、請求項１に記載の電気コネクタにおいて、前記絶縁ハウジングに端部が受容された前記配線板を、その電気接点が前記コンタクトと弾性的に接触している状態に保持する保持手段を、さらに備えるので、前記電気接点と前記対応するコンタクトとの間に位置ずれを生じないように規制された受容位置に前記小型基板を保持することができる。
【発明を実施するための最良の形態】
【００１７】
以下に、本発明に係る電気コネクタの第１の実施形態について、図１〜図５を参照しながら説明する。なお、小型基板１０については、従来と同様に構成されたものを用いることができるので、再度の説明を省略する。また、各図面における上下および左右を、そのまま上方下方および左方右方として説明する。
【００１８】
図１および図２は、本発明に係る電気コネクタの実施形態の一例であるソケットの主要部を示す斜視図であり、小型基板の端部がスロットに挿入されている状態を模式的に示している。
このソケット１００は、メモリモジュールなどの小型基板１０を接続することができるＺＩＦ型のソケットであり、小型基板１０の電気接点が形成された一端を受容するスロット１１０ａを有する絶縁ハウジング１１０と、小型基板１０の両面に設けられた複数の電気接点とそれぞれ弾性的に接触する複数のコンタクト１２０，１２１（図４）を備えている。ソケット１００は、絶縁ハウジング１１０の下面から露出するコンタクト１２０，１２１のタイン部１２０ａ，１２１ａを半田付けすることによって、パーソナルコンピュータのマザーボードなどの親基板に実装される。絶縁ハウジング１１０の下部に設けられたボス１１０ｂ（図４）は、親基板上の所定位置にソケット１００を位置決めするためのものである。
【００１９】
絶縁性のプラスチックにより形成される絶縁ハウジング１１０のスロット１１０ａには、その幅方向について非対称な位置に、小型基板１０が挿入される向きに突出するリブ状の位置決め突起１３０が一体に形成されている。この位置決め突起１３０は、スロット１１０ａに挿入される小型基板１０の端部の切欠き１３に嵌入して小型基板１０を所定の受容位置に案内するためのものである。この位置決め突起１３０によって、小型基板１０の誤挿入が防止されると共に、小型基板１０の各電気接点がソケット１００の所定のコンタクトに接続されるように小型基板１０の幅方向の受容位置が規制される。リブ状の位置決め突起１３０の上部１３０ａの厚さは、その下部１３０ｂの厚さよりも大きくされている。また、上部１３０ａと下部１３０ｂは、下部１３０ｂから上部１３０ａに向かうにつれて対称に厚くなるようにされたテーパ状の中間部１３０ｃによってつながれている。
【００２０】
ここで、図１は、小型基板１０の切欠き１３の幅がリブ状の位置決め突起１３０の下部１３０ｂの幅と等しい場合（または、切欠き１３の幅が位置決め突起１３０の下部１３０ｂの幅より僅かに広いが、その差が小型基板１０およびコンタクト１２０の間隔よりも十分に小さく両者の幅が等しい場合と同視できる場合）を示している。この場合には、小型基板１０の切欠き１３に位置決め突起１３０の下部１３０ｂが嵌入していれば、ソケット１００のスロット１１０ａへの挿入角度θにかかわらず、小型基板１０の幅方向の受容位置が位置決め突起１３０の下部１３０ｂによって規制される。
なお、上記の場合に、一端をスロット１１０ａに挿入した状態で、他端を図中に矢印Ａで示す向きに引き上げて小型基板１０の角度θを大きくしていくと、切欠き１３がテーパ状の中間部１３０ｃに干渉し、下部１３０ｂよりも幅が大きい中間部１３０ｃを切欠き１３に嵌入させることができない状態に至る。以下では、スロット１１０ａに挿入された小型基板１０の、切欠き１３に位置決め突起１３０の下部１３０ｂが嵌入している状態における最大の角度をθ１（θ≦θ１）とする。
【００２１】
一方、図２は、小型基板１０の切欠き１３の幅が、リブ状の位置決め突起１３０の下部１３０ｂの幅よりも広く、かつ、上部１３０ａの最大幅よりも狭い場合を示している。この場合には、小型基板１０の切欠き１３と位置決め突起１３０の下部１３０ｂとの間に隙間を生じるため、スロット１１０ａに挿入されている小型基板１０の受容位置を位置決め突起１３０の下部１３０ｂによって規制することができない。
しかし、本発明に係るソケット１００は、次に説明するように、この場合であっても、小型基板１０の幅方向の受容位置を、各電気接点１２がコンタクト６２０と確実に整合するように規制できるようにされている。
【００２２】
図３は、ソケット１００のリブ状の位置決め突起１３０を、スロット１１０ａに挿入される小型基板１０側から見た正面図である。
位置決め突起１３０は、図３（Ａ）に示すように、一様な厚さを有する下部１３０ｂと、下部１３０ｂよりも厚くされた部分である上部１３０ａと、これらの間にあって厚さが左右対称に連続的に変化するようにされたテーパ状の中間部１３０ｃとから構成されている。小型基板１０の切欠き１３の幅が位置決め突起１３０の下部１３０ｂの厚さとほぼ等しい場合には、図３（Ｂ）に示すように、切欠き１３に位置決め突起１３０の下部１３０ｂが嵌入することにより小型基板１０が位置決めされる。一方、小型基板１０の切欠き１３の幅が位置決め突起１３０の下部１３０ｂの厚さよりも大きく、かつ、上部１３０ａの厚さよりも小さい場合には、図３（Ｃ）に示すように、切欠き１３に位置決め突起１３０の中間部１３０ｃが嵌入することにより小型基板１０が位置決めされる。つまり、一端がスロット１１０ａに挿入された小型基板１０の角度θを前記θ１よりも大きくする操作によって、切欠き１３の幅が、位置決め突起１３０の下部１３０ｂの幅より大きい場合であっても、テーパ状にされた中間部１３０ｃのある部分の厚さと必ず一致するように構成されているのである。
【００２３】
次に、小型基板１０の切欠き１３の幅が位置決め突起１３０の下部１３０ｂの厚さよりも大きく、かつ、上部１３０ａの厚さよりも小さい場合に、ソケット１００挿入された小型基板１０を所定の受容位置に導く手順を、図４および図５を参照しながら説明する。
図４はソケット１００をコンタクト１２０，１２１の配列方向（長手方向）と直交する面で切断した断面図であり、図４（Ａ）は挿入された小型基板１０の下側に弾性アームが位置するコンタクト１２１が現れる切断位置における断面を、図４（Ｂ）は挿入された小型基板１０の上側に弾性アームが位置するコンタクト１２０が現れる切断位置における断面を、それぞれ示す。また、図５は、ソケット１００の平面図である。
【００２４】
図４（Ａ）に破線で表された小型基板１０は、一端が斜め上方からスロット１１０ａに挿入され、前記の最大角度θ１にされた状態を示す。小型基板１０がスロット１１０ａに挿入されると、小型基板１０の端部の上下面に形成された複数の電気接点は、それぞれ複数のコンタクト１２０，１２１に接触する。各コンタクト１２０，１２１は、絶縁ハウジング１１０に圧入固定され、いずれも小型基板１０の電気接点と接触を保ったままで弾性変位できる弾性アームを有している。この状態では、小型基板１０の切欠き１３の幅が位置決め突起１３０の下部１３０ｂの厚さよりも大きく、かつ、上部１３０ａの厚さよりも小さいために、切欠き１３とこれに嵌入している位置決め突起１３０の下部１３０ｂとの間には幅方向に隙間を生じる。
【００２５】
一方、図４（Ａ）に実線で表された小型基板１０は、一端がスロット１１０ａに挿入された後に他端が矢印Ａで示す向きにさらに押し上げられた状態を示す。この状態では、切欠き１３に位置決め突起１３０のテーパ状の中間部１３０ｃが嵌入しており、小型基板１０がすでに所定の受容位置に位置決めされている。すなわち、一端がスロット１１０ａに挿入された小型基板１０の角度θを一旦前記の最大角度θ１以上にすることによって、各電気接点１２の中心と対応するコンタクト５２０の中心の間に位置ずれを生じていても、切欠き１３が、下部１３０ｂから上部１３０ａに向かって左右対称に連続的に厚くなるテーパ状の位置決め突起１３０の中間部１３０ｃに沿ってスライドしながらセンタリングされるのである。そして、幅方向について所定位置に位置決めされた小型基板１０の他端を、コンタクト１２０，１２１の弾性に抗しながら親基板と平行になるまで図中に矢印Ｂで示す向きに押し下げることによって、電気接点１２とコンタクト１２０，１２１とが弾性的に接触している状態を得る。この状態は、図５に示すように、絶縁ハウジング１１０の両側に対向配置された一対の保持手段である、弾性を有する保持アーム１４０の内向きの爪１４０ａによって小型基板１０の両側端を固定することによって維持される。
【００２６】
以上説明した本発明に係る電気コネクタの一実施形態であるソケット１００によれば、小型基板１０のスリット状の切欠き１３の幅および／またはリブ状の位置決め突起１３０の幅にばらつきがあっても、小型基板１０をスロット１１０ａに挿入する角度を変化させる操作によって、切欠き１３の幅と位置決め突起１３０のいずれかの部分の幅とが、ある挿入角度で必ず一致するようにされている。したがって、ソケット１００に接続される小型基板１０の切欠き１３の幅に一定範囲のばらつきがあっても、小型基板１０の複数の電気接点１２とコネクタ１００の複数のコンタクト１２０，１２１を、正しく接続することができる。
【００２７】
次に、本発明に係る電気コネクタの第２の実施形態について、図６を参照しながら説明する。この第２の実施形態としての電気コネクタ１００’は、絶縁ハウジングのスロットに挿入される小型基板１０の受容位置を規制するための位置決め突起２３０の形状が第１の実施形態として例示したソケット１００の位置決め突起１３０の形状と異なっている点を除けば、ソケット１００と同一の構成にすることができる。そこで、以下では、位置決め突起についてのみ説明し、その他の部分についてはソケット１００対応する部分と同一の符号を付して説明を省略する。
【００２８】
図６は、本実施形態における位置決め突起２３０と、これに係合する小型基板１０の切欠き１３を、模式的に示す平面図である。
位置決め突起２３０は、スロット１１０ａに絶縁ハウジング１１０と一体に形成された、小型基板１０が挿入される向きに突出するリブ状の部分である。この位置決め突起２３０は、その下部から上部にわたる各部の厚さが同一であり、その両側面に小突起２３０ｄ，２３０ｅが左右対称に形成されている。
小突起２３０ｄ，２３０ｅは、第１の実施形態における位置決め突起１３０の中間部１３０ｃないし上部１３０ａに相当する位置に形成され、スロット１１０ａに斜め上方から挿入される小型基板１０の切欠き１３と係合するように上下（垂直）方向に延びる縦長の形状にされている。
【００２９】
スロット１１０ａに挿入される小型基板１０の切欠き１３の幅が位置決め突起２３０の厚さとほぼ等しい場合には、切欠き１３と小突起２３０ｄ，２３０ｅが干渉しないように（水平に対して相対的に小さい角度で、前記第１の実施形態における位置決め突起１３０の下部１３０ｂに相当する位置に）小型基板１０をスロット１１０ａに挿入する。この場合には、切欠き１３に嵌入する位置決め突起２３０の下部によって小型基板１０の受容位置が規制される。
一方、スロット１１０ａに挿入される小型基板１０の切欠き１３の幅が位置決め突起２３０の厚さよりも大きい場合には、切欠き１３と小突起２３０ｄまたは２３０ｅが干渉するように（水平に対して相対的に大きい角度で、前記第１の実施形態における位置決め突起１３０の中間部１３０ｃないし上部１３０ａに相当する位置に）小型基板１０をスロット１１０ａに挿入する。
【００３０】
各小突起の高さは、切欠き１３の内側面に小突起２３０ｅが接しなくても次の小突起２３０ｄが接するように、切欠き１３に位置決め突起２３０が挿入されるにしたがって相対的に高くなるようにされている。なお、各小突起は、位置決め突起２３０と切欠き１３との間に隙間を生じないように、切欠き１３の内側面に圧接されると押し潰されるようにされている。このように、位置決め突起２３０の両側に対称に形成された小突起２３０ｄおよび２３０ｅの少なくとも一つが切欠き１３の内側面に接することによって、小型基板１０の各電気接点１２の中心と対応するコンタクト１２０の中心の間に位置ずれを生じていても、切欠き１３がセンタリングされて小型基板１０の受容位置が規制される。
【００３１】
なお、上述した本発明に係る電気コネクタの第２の実施形態において、位置決め突起２３の両側にそれぞれ設けられる小突起の数は、２つに限定されるものではない。また、各小突起の高さは、切欠き１３の最大幅を大きく超えない範囲で、スロット１１０ａに挿入される小型基板１０から見て順次高くなるようにされていれば良い。すなわち、リブ状の位置決め突起２３０の先端部と両側面に設けられた小突起とによって、小型基板１０の切欠き１３がスムーズに案内されるように適宜選択されるべきものである。
【００３２】
以上例示した、本発明に係る電気コネクタの実施形態であるソケット１００（１００’）は、コンタクト１２０，１２１が絶縁ハウジング１１０の幅方向に１００極ずつ上下に交互配置されているものである。この場合、互いに隣接するコンタクトの中心間隔（ピッチ）は、例えば０．６ｍｍである。通常、小型基板１０の切欠き１３の幅に許容される寸法公差は１ｍｍ程度であるのに対し、ソケット１００の幅方向に許容される受容位置のずれは最大０．２５ｍｍ程度である。したがって、本発明に係るソケット１００によれば、小型基板１０の電気接点１２とコンタクト１２０，１２１との間の相対的な位置ずれを、許容される程度に抑制できる。
【００３３】
なお、以上の説明においてはソケット型の電気コネクタのみを例示したが、本発明は、これに限定されるものではなく、いわゆるプリント配線板等のエッジを受容して電気的接続を行う電気コネクタに広く適用できるものである。
【図面の簡単な説明】
【００３４】
【図１】本発明に係る電気コネクタの一実施形態であるソケット１００の主要部を示す斜視図であり、小型基板１０の切欠き１３の幅がリブ状の位置決め突起１３０の下部１３０ｂの幅とほぼ等しい場合における係合状態を示すものである。
【図２】本発明に係る電気コネクタの一実施形態であるソケット１００の主要部を示す斜視図であり、小型基板１０の切欠き１３の幅がリブ状の位置決め突起１３０の下部１３０ｂの幅よりも広く、かつ、上部１３０ａの最大幅よりも狭い場合における係合状態を示すものである。
【図３】本発明に係る電気コネクタの一実施形態であるソケット１００のリブ状の位置決め突起１３０を小型基板１０側から見た正面図であり、図３（Ａ）は小型基板１０が係合していない状態を、図３（Ｂ）は位置決め突起１３０の下部１３０ｂによって小型基板１０が位置決めされている状態を、図３（Ｃ）は位置決め突起１３０の中間部１３０ｃによって小型基板１０が位置決めされている状態を、それぞれ示す。
【図４】本発明に係る電気コネクタの一実施形態であるソケット１００の縦断面を示す図であり、図４（Ａ）は挿入された小型基板１０の下側に弾性アームが位置するコンタクト１２１が現れる切断位置における断面を、図４（Ｂ）は挿入された小型基板１０の上側に弾性アームが位置するコンタクト１２０が現れる切断位置における断面を、それぞれ示す。
【図５】本発明に係る電気コネクタの一実施形態であるソケット１００の上面図である。
【図６】本発明に係る電気コネクタの別の実施形態である位置決め突起２３０について模式的に示す平面図である。
【図７】従来のソケットの一例を示す斜視図であり、図７（Ａ）は小型基板およびソケットからなる分解斜視図、図７（Ｂ）は、ソケットのスロットに挿入された小型基板１０が保持アームによって固定保持された状態を示す斜視図である。
【図８】従来のソケットの別の構成例を示す斜視図である。
【図９】図８に示す従来のソケットの位置決め突起に装着される弾性部材を示す斜視図である。
【図１０】図９に示す弾性部材が装着された位置決め突起によって、小型基板の受容位置が規制される様子を模式的に示す平面図である。
【符号の説明】
【００３５】
１０              小型基板
１２              電気接点
１３              切欠き
１００，１００’  ソケット
１１０            絶縁ハウジング
１２０，１２１    コンタクト
１３０，２３０    位置決め突起
１３０ａ          位置決め突起１３０の上部
１３０ｂ          位置決め突起１３０の下部
１３０ｃ          位置決め突起１３０の中間部
１４０            保持アーム
２３０ｅ          小突起（低）
２３０ｄ          小突起（高）
【図１】
2007042384.tif 000003
【図２】
2007042384.tif 000004
【図３】
2007042384.tif 000005
【図４】
2007042384.tif 000006
【図５】
2007042384.tif 000007
【図６】
2007042384.tif 000008
【図７】
2007042384.tif 000009
【図８】
2007042384.tif 000010
【図９】
2007042384.tif 000011
【図１０】
2007042384.tif 000012